(57)【要約】【課題】エアフィルタの自動清掃が可能な空気調和機を提供する。【解決手段】外部の空気を吸込む吸込口５と、吸込口５の風上側にエアフィルタ６とを備え、エアフィルタ６に対向する吸入口９ｂを有してエアフィルタ６に付着した塵埃を吸入するための摺動自在の吸引ノズル９と、吸引ノズル９を駆動する駆動モータ１６と、吸引ノズル９に連通し空気と共に塵埃を吸引排気する吸引排気装置１１と、吸引排気装置１１と吸引ノズル９とを連通する連通手段１０とを設けた天井内に設置する空気調和機１であり、エアフィルタ６に付着した塵埃の自動清掃を簡素な構造で構成でき、かつ、エアフィルタ６清掃中に集塵した埃を室内部屋に飛散させることもなく、吸引ノズル９が吸い込み抵抗にならないような配置がされることにより、空気調和機１の基本性能を損なわず、エアフィルタ６の自動清掃を実現できる。【選択図】図１
2008133973.tif 000002
【特許請求の範囲】
【請求項１】
天井内に設置される箱状の筐体と、前記筐体内に収容された熱交換器と、ファン及びモータと、前記筐体に形成された外部の空気を吸込む吸込口と、前記吸込口の風上側にエアフィルタと、前記筐体に形成され、吸込んだ空気を前記熱交換器で温調後吹出す吹出口とを備え、前記エアフィルタに対向する吸入口を有してエアフィルタに付着した塵埃を吸入するための摺動自在の吸引ノズルと、前記吸引ノズルを駆動する駆動機構と、前記吸引ノズルに連通して空気と共に塵埃を吸引排気する吸引排気装置と、前記吸引排気装置と前記吸引ノズルとを連通する連通手段とを設けたことを特徴とする空気調和機。
【請求項２】
前記吸引ノズルには前記エアフィルタに付着した塵埃を掻き取る埃掻き取りパッドを具備し、前記駆動機構は両端に配設されたローラと、前記ローラ間に巻回された帯状のベルトと駆動源とを備え、前記駆動源で前記ローラと前記ベルトを駆動することにより前記ベルト上に配設された前記吸引ノズルを動かすことを特徴とする請求項１に記載の空気調和機。
【請求項３】
前記埃掻き取りパッドは、前記吸引ノズルの駆動方向と略直角をなす方向に長辺を有する長方形の形状を有することを特徴とする請求項１又は２に記載の空気調和機。
【請求項４】
前記吸引ノズルの吸入口は、前記吸引ノズルの駆動方向と略直角をなす方向に長辺を有する長方形の形状を有することを特徴とする請求項１〜３のいずれかに記載の空気調和機。
【請求項５】
前記吸引排気装置は、前記吸込口の外側に並設されることを特徴とする請求項１〜４のいずれかに記載の空気調和機。
【請求項６】
前記吸引排気装置は排気ノズルを具備し、前記排気ノズルは空気調和機の室内機と室外機とを接続する内外接続配管が延出した前記室内機の一面と同じ面から延出されることを特徴とする請求項１〜５のいずれかに記載の空気調和機。
【請求項７】
前記吸引ノズルの前記ベルト上からの落下を防止する脱落防止装置を設けることを特徴とする請求項１〜６のいずれかに記載の空気調和機。
【請求項８】
前記吸引ノズルは、前記エアフィルタの両面を挟む形状を有し、前記エアフィルタに対向する少なくとも２箇所の吸入口を有することを特徴とする請求項１〜７のいずれかに記載の空気調和機。
【請求項９】
前記埃掻き取りパッドは、ブラシであることを特徴とする請求項１〜８のいずれかに記載の空気調和機。
【発明の詳細な説明】
【技術分野】
【０００１】
本発明は、エアフィルタの自動清掃が可能な空気調和機に関するものである。
【背景技術】
【０００２】
図６は、従来の空気調和機の一例を示す概略斜視図である。空気調和機１において、空気は背面側の吸込口５から吸い込まれ、エアフィルタ６、モータ４に連結されたファン３ａ，ｂ、熱交換器２を通過して前面側の吹出口７から吹き出される。
【０００３】
背面側から空気を吸い込む天袋内設置、地袋内設置、天井内設置等の天井内に設置される従来の空気調和機は、熱交換器２の風上側に、空気調和機１の筐体内部へ塵埃が侵入することを防ぐためのエアフィルタ６が設けられており、このエアフィルタ６は付着した塵埃を掃除機で吸い取ったり洗浄したりするなど、手で清掃できるように着脱自在に構成されている。
【０００４】
こうした構成でのエアフィルタは、頻繁なメンテナンスが必要となるだけでなく、メンテナンスが行われるまでの間にはエアフィルタが徐々に目詰まりしていき、その結果、熱交換器を通過する風量が低下し、空調能力が低下して消費電力の増大につながることとなる。特に天袋内設置、地袋内設置、天井内設置等の空気調和機は高所に設置されているため、メンテナンスがしにくく、また直接見ることも少ないため、エアフィルタの清掃を怠りやすい傾向にある。
【０００５】
このため、エアフィルタのメンテナンスの手間を低減する目的でエアフィルタに付着した塵埃を落とすためにエアフィルタを回転させブラシで埃を落とし、埃をためる構成のエアフィルタ清掃装置が提案されている（例えば、特許文献１参照）。
【特許文献１】実開昭６３−１０４９１３号公報
【発明の開示】
【発明が解決しようとする課題】
【０００６】
しかしながら、上記従来技術では、エアフィルタに付着した塵埃をブラシで掻き落として受け皿に入れるため、埃が部屋の空気中に飛散してしまう問題や、受け皿にたまった埃の廃棄作業を行う必要がありメンテナンスがなくなるわけではないという課題を有していた。
【０００７】
本発明は、前記従来の課題を解決するもので、エアフィルタのメンテナンスが必要でない自動清掃が可能な空気調和機を提供することを目的とする。
【課題を解決するための手段】
【０００８】
前記従来の課題を解決するために、請求項１の空気調和機は、天井内に設置され、全体としてほぼ箱状の筐体と、前記筐体内に収容された熱交換器と、ファン及びモータと、前記筐体に形成し、外部の空気を吸込む吸込口と、前記吸込口の風上側にエアフィルタと、同じく前記筐体に形成され、吸込んだ空気を前記熱交換器で温調後吹出す吹出口とを備え、前記エアフィルタに対向する吸入口を有してエアフィルタに付着した塵埃を吸入するための摺動自在の吸引ノズルと、前記吸引ノズルを駆動する駆動機構と、前記吸引ノズルに連通して空気と共に塵埃を吸引排気する吸引排気装置と、前記吸引排気装置と前記吸引ノズルとを連通する連通手段とを設けたことを特徴とする。これによって、エアフィルタに付着した塵埃の自動清掃を簡素な構造で構成でき、かつ、エアフィルタ清掃中に集塵した埃を室内部屋に飛散させることもなく、吸引ノズルが吸い込み抵抗にならないような配置
がされることにより、空気調和機の基本性能を損なわず、天井内に設置された空気調和機のエアフィルタの自動清掃を実現することができる。
【発明の効果】
【０００９】
本発明の空気調和機は、エアフィルタに付着した塵埃の自動清掃を簡素な構造でかつ、少ない吸い込み風量で可能にし、エアフィルタ清掃中に集塵した埃を室内部屋に飛散させることもなく、空気調和機の基本性能を損なわず、低騒音でエアフィルタの自動清掃を実現することができる。
【発明を実施するための最良の形態】
【００１０】
第１の発明は、天井内に設置され、全体としてほぼ箱状の筐体と、前記筐体内に収容された熱交換器と、ファン及びモータと、前記筐体に形成された外部の空気を吸込む吸込口と、前記吸込口の風上側にエアフィルタと、前記筐体に形成され、吸込んだ空気を前記熱交換器で温調後吹出す吹出口とを備え、前記エアフィルタに対向する吸入口を有してエアフィルタに付着した塵埃を吸入するための摺動自在の吸引ノズルと、前記吸引ノズルを駆動する駆動機構と、前記吸引ノズルに連通して空気と共に塵埃を吸引排気する吸引排気装置と、前記吸引排気装置と前記吸引ノズルとを連通する連通手段とを設けたことにより、エアフィルタに付着した塵埃の自動清掃を簡素な構造で構成でき、かつ、エアフィルタ清掃中に集塵した埃を室内部屋に飛散させることもなく、吸引ノズルが吸い込み抵抗にならないような配置がされることにより、空気調和機の基本性能を損なわず、エアフィルタの自動清掃を実現できる。
【００１１】
第２の発明は、前記吸引ノズルには前記エアフィルタに付着した塵埃を掻き取る埃掻き取りパッドを具備し、前記駆動機構は両端に配設されたローラと、前記ローラ間に巻回された帯状のベルトと駆動源を備え、前記駆動源で前記ローラと前記ベルトを駆動することにより前記ベルト上に配設された前記吸引ノズルを動かすことにより、エアフィルタに付着した塵埃の自動清掃を簡素な構造で構成でき、かつ、エアフィルタに付着した塵埃を掻き取りながら吸い込みそして排気できる為、少ない風量でも確実に塵埃が取れ、低騒音で運転できる。
【００１２】
第３の発明は、前記埃掻き取りパッドは、前記吸引ノズルの駆動方向と略直角をなす方向に長辺を有する長方形の形状を有することにより、掻き取り面積を最大に確保でき、エアフィルタに付着した塵埃を確実に掻き取ることができる。
【００１３】
第４の発明は、前記吸引ノズルの吸入口は、前記吸引ノズルの駆動方向と略直角をなす方向に長辺を有する長方形の形状を有することにより、吸引面積を最大に確保でき、エアフィルタに付着した塵埃を確実に吸込むことができる。
【００１４】
第５の発明は、前記吸引排気装置は、前記吸込口の外側に並設したことにより、簡素な構成で圧力損失が少なく抑えられ、少ない吸入風量によって塵埃を確実に吸い込むことができる。また、動作音を小さく抑えることができる。
【００１５】
第６の発明は、前記吸引排気装置は排気ノズルを具備し、前記排気ノズルは空気調和機の室内機と室外機とを接続する内外接続配管が延出した前記室内機の一面と同じ面から延出されることにより、室内機の配管接続作業と同じスペースで埃を屋外へ排出するノズルとの接続ができる為、作業が簡単になり、新たな天井開口を設ける必要がなくなり、インテリア性も向上する。
【００１６】
第７の発明は、前記吸引ノズルの前記ベルト上からの落下を防止する脱落防止装置を設けることにより、前記吸引ノズルの駆動を安定させる。また、前記吸引ノズルの前記埃掻
き取りパッドをエアフィルタに密着させることにより、エアフィルタに付着した塵埃を確実に掻き取ることができる。
【００１７】
第８の発明は、前記吸引ノズルは、前記エアフィルタの両面を挟む形状を有し、前記エアフィルタに対向する少なくとも２箇所の吸入口を有することにより、前記埃掻き取りパッドが前記エアフィルタに付着した塵埃の大部分を掻き取り、前記埃掻き取りパッド側の吸入口から吸い込むが、塵埃の一部は前記エアフィルタの裏側に濾され、前記エアフィルタの裏側の吸入口から吸い込むことができる。
【００１８】
第９の発明は、前記埃掻き取りパッドは、ブラシであることにより、前記吸引ノズルの駆動方向と略直角をなす方向に長辺を有する長方形の形状を有するため、掻き取り面積を最大に確保でき、エアフィルタに付着した塵埃を確実に掻き取ることができる。
【００１９】
以下、本発明の実施の形態について、図面を参照しながら説明する。なお、この実施の形態によって本発明が限定されるものではない。
【００２０】
（実施の形態１）
図１は、本発明の第１〜２の実施の形態における空気調和機の概略斜視図である。図１において、従来の空気調和機と同じ構成については同一の符号を付し、その説明は省略する。図２は、本発明の実施の形態１における空気調和機の吸引ノズルの平面図である。また、図３は、本発明の実施の形態１における吸引ノズルの斜視図である。
【００２１】
図１において、背面側から空気を吸い込む天袋内設置、地袋内設置、天井内設置等の空気調和機１は、熱交換器２の風上側に、空気調和機１の内部へ塵埃が侵入することを防ぐためのエアフィルタ６が設けられ、エアフィルタ６に付着した塵埃は、吸込口５の外側に設けた吸引ノズル９で取り除かれる。
【００２２】
吸引ノズル９を駆動機構の駆動源となる駆動モータ１６と、吸引ノズル９に連通し空気と共に塵埃を吸引排気する吸引排気装置１１と、吸引排気装置１１と吸引ノズル９との連通手段である吸引排気ホース１０とを設ける。また、吸引ノズル９は、吸引ノズルの駆動方向と略直角をなす方向に長辺を有する長方形の形状を有する埃掻き取りパッド９ａと吸引ノズルの駆動方向と略直角をなす方向に長辺を有する長方形の形状を有する吸入口９ｂを設け、左右方向に移動可能にしたものである。
【００２３】
前記駆動機構は両端に配設されたローラ１５ａ，１５ｂと、ローラ１５ａ，１５ｂ間に巻回された帯状のベルト１４を備え、駆動モータ１６でローラ１５ａ，１５ｂとベルト１４を駆動することにより、ベルト１４上に設置された吸引ノズル９をエアフィルタ６に沿って動かす。
【００２４】
このように構成された吸引ノズル９の動作の詳細について説明する。例えば空気調和機１の運転停止後に、吸引排気装置１１が運転開始し、エアフィルタ６の片側端に位置していた吸引ノズル９が駆動モータ１６によって、図１に示す矢印Ａ方向に移動し、エアフィルタ６の前部表面に付着した塵埃を埃掻き取りパッド９ａで掻き取りながら吸入口９ｂから吸い取り、塵埃は吸引排気ホース１０を通り、吸引排気装置１１に吸入される。そして、吸引ノズル９は、対向する片側端まで移動したときに脱落防止装置であるリミットスイッチ１３ａに当たり、停止する。その後、駆動モータ１６を逆回転させれば、吸引ノズル９はもう一方の脱落防止装置であるリミットスイッチ１３ｂに当たって停止し、初期の位置に戻る。以上の動作により、エアフィルタ６の全面を自動で清掃することが可能となる。
【００２５】
ここで、図１に示すように、吸引ノズル９を吸込口５の外側に配置することにより、熱交換器２へ通過する空気の通風抵抗をなくし、空気調和機１の基本性能を損なうことなくエアフィルタ６の自動清掃を実現できる。
【００２６】
ここで、吸引排気装置１１を吸込口５の外側に並設することで、吸引ノズル９のメンテナンスが行いやすく、吸引排気ホース１０の引き廻し自由度も出てくる。
【００２７】
また、エアフィルタ６に付着した塵埃を屋外に排出する場合は、空気調和機１に接続する延長排気ノズル１２を室内機と室外機を接続する配管部８と同じスペースで作業するために、同じ面で延長排気ノズル１２の接続箇所を設けている。
【００２８】
ここで、保持レール１３ｃと１３ｄは、吸引ノズル９の背面側への脱落防止と吸引ノズル９の駆動を安定させる。また、吸引ノズル９の埃掻き取りパッド９ａをエアフィルタ６に密着させることにより、エアフィルタ６に付着した塵埃を確実に掻き取ることができる。
【００２９】
さらに、埃掻き取りパッド９ａをブラシで形成すると、より埃を掻き取ることも可能である。
【００３０】
（実施の形態２）
図４は、本発明の実施の形態２における空気調和機の吸引ノズルの平面図である。図５は、本発明の実施の形態２における吸引ノズルの斜視図である。
【００３１】
図４および図５において、吸引ノズル９は、エアフィルタ６の両面を挟む形状を有し、吸引ノズル９の駆動方向と略直角をなす方向に長辺を有する長方形の形状を有する吸入口９ｂと９ｃを有する。これにより、埃掻き取りパッド９ａがエアフィルタ６に付着した塵埃の大部分を掻き取り、吸入口９ｂから吸い込むが、塵埃の一部はエアフィルタ６の裏側に濾され、吸入口９ｃから吸い込むことができる。以上のように、本実施の形態においては、エアフィルタ６に付着した塵埃を自動でエアフィルタ６の両面から確実に吸い込み、清掃することが可能となり、エアフィルタ６に付着した塵埃をより確実に掻き取ることができる。
【産業上の利用可能性】
【００３２】
以上のように、本発明にかかる空気調和機は、簡素な構成でかつ少ない吸込み風量により、エアフィルタに付着した塵埃を自動で清掃することが可能となるので、空気清浄機などの塵埃を集塵するエアフィルタを装着した機器等の用途にも適用できる。
【図面の簡単な説明】
【００３３】
【図１】本発明の実施の形態１における空気調和機の概略斜視図
【図２】本発明の実施の形態１における空気調和機の吸引ノズルの平面図
【図３】本発明の実施の形態１における吸引ノズルの斜視図
【図４】本発明の実施の形態２における空気調和機の吸引ノズルの平面図
【図５】本発明の実施の形態２における吸引ノズルの斜視図
【図６】従来の空気調和機の概略斜視図
【符号の説明】
【００３４】
１  空気調和機
２  熱交換器
３ａ，３ｂ  ファン
４  モータ
５  吸込口
６  エアフィルタ
７  吹出口
８ａ，８ｂ  内外接続配管
９  吸引ノズル
９ａ  埃掻き取りパッド
９ｂ，９ｃ  吸入口
１０  吸引排気ホース
１１  吸引排気装置
１２  排気ノズル
１３ａ，１３ｂ  リミットスイッチ
１３ｃ，１３ｄ  保持レール
１４  ベルト
１５ａ，１５ｂ  ローラ
１６  駆動モータ
【図１】
2008133973.tif 000003
【図２】
2008133973.tif 000004
【図３】
2008133973.tif 000005
【図４】
2008133973.tif 000006
【図５】
2008133973.tif 000007
【図６】
2008133973.tif 000008